(57)【要約】【課題】定期券を基にして特急券を発行できるようにする。【解決手段】自動券売機の本体に挿入された在来線の定期券に記録されているデータを読取る読取手段と、読取られたデータ中から前記定期券の定期券乗車区間を抽出する定期券乗車区間抽出手段と、抽出された定期券乗車区間の全部又は一部を含む優等列車線の優等列車乗車区間を抽出する優等列車乗車区間抽出手段と、抽出された定期券乗車区間及び優等列車乗車区間を照合し、その優等列車乗車区間に含まれないその定期券乗車区間外の不足区間を抽出する不足区間抽出手段と、抽出された不足区間の運賃を算出する算出手段と、抽出された優等列車乗車区間に係る料金及び不足区間の運賃の金額を満たす金銭が前記自動券売機の本体に投入されたときにその優等列車乗車区間に乗車できる所定の乗車券を発行する発行手段とを有する。【選択図】　　　図３
2004110261.tif 000002
【特許請求の範囲】
【請求項１】
自動券売機の本体に挿入された在来線の定期券に記録されているデータを読取る読取手段と、
読取られたデータ中から前記定期券の定期券乗車区間を抽出する定期券乗車区間抽出手段と、
抽出された定期券乗車区間の全部又は一部を含む優等列車線の優等列車乗車区間を抽出する優等列車乗車区間抽出手段と、
抽出された定期券乗車区間及び優等列車乗車区間を照合し、その優等列車乗車区間に含まれないその定期券乗車区間外の不足区間を抽出する不足区間抽出手段と、
抽出された不足区間の運賃を算出する算出手段と、
抽出された優等列車乗車区間に係る料金及び不足区間の運賃の金額を満たす金銭が前記自動券売機の本体に投入されたときにその優等列車乗車区間に乗車できる所定の乗車券を発行する発行手段と、
を有することを特徴とする自動券売機。
【請求項２】
請求項１に記載の自動券売機において、抽出された定期券乗車区間の発駅又は着駅が抽出された優等列車乗車区間の発駅又は着駅と一致しないときに、その定期券乗車区間の発駅又は着駅に近い優等列車線の停車駅を表示させる停車駅表示手段を有することを特徴とする自動券売機。
【請求項３】
請求項２に記載の自動券売機において、表示される停車駅は、定期券乗車区間の発駅又は着駅から所定範囲内の複数の停車駅であることを特徴とする自動券売機。
【請求項４】
請求項３に記載の自動券売機において、表示された複数の停車駅の中から所定の停車駅を選択することを特徴とする自動券売機。
【発明の詳細な説明】
【０００１】
【発明の属する技術分野】
本発明は、自動券売機に係り、特に、定期券を基にして優等列車線に乗車できる特急券等の料金券を発行できるようにしたものに関する。
【０００２】
【従来の技術】
従来、例えば、特開２００１−３１９２４９号公報などに示される料金券（以下、特急券を例にして説明する。）を発行できる自動券売機は、その自動券売機の本体に特急券の発駅及び着駅の入力を行うとともに、その特急券の料金とその乗車区間の運賃の合計金額を満たす金銭（本発明における金銭には、プリペイドカード等のカード類も含まれる。）の投入を条件に発行されるように構成されている。
【０００３】
また、特急券の発駅が利用者（旅客）の所持している定期券（本発明で定期券というときは、磁気券又は無線通信機能を備えたＩＣカードからなる非接触券の両方を含んでいる。）の乗車区間内で、かつ、その特急券の乗車区間が定期券の乗車区間内であれば、利用者は、乗車券を購入することなく特急券のみを購入し、その購入した特急券及び定期券を用いて優等列車（以下、特急列車を例にして説明する。）に乗車することができる。
【０００４】
【発明が解決しようとする課題】
しかしながら、上記従来の特急券（料金券）を発行することのできる自動券売機は、定期券の乗車区間内に特急券の乗車区間が含まれているときは、その定期券の乗車区間内に設置されている自動券売機で乗車券を購入することなく特急券のみを購入して特急列車に乗車することができるが、特急券の乗車区間の一部の乗車区間の定期券を有している場合は、特急券を購入することができないという不便があった
【０００５】
図４の路線図を基にさらに説明すると、利用者が特急列車で優等列車内のＡ駅からＢ駅に乗車しようとしており、しかも、その利用者が優等列車線と平行な在来線のａ１　駅及びａ３　駅間を乗車区間とする定期券を所持しているときは、Ａ駅に設置されている自動券売機では購入できず、利用者は、係員窓口において、Ａ駅からＢ駅までの特急券とＡ駅からａ１　駅までの乗車券及びａ３　からＢ駅までの乗車券を購入してＡ駅から特急列車に乗車しなければならなかった。なお、図４に示される路線図は、説明を容易にするために、優等列車線と在来線とを別々に示しているが、一つの線路を特急列車も普通列車も走行する場合であってもよい。
【０００６】
そこで、本発明は、上記の不便を解消するためになされたものであって、その目的は、利用者の所持している定期券を基に特急券を購入できるようにした自動券売機を提供することを目的としている。
【０００７】
【課題を解決するための手段】
本発明に係る自動券売機は、上記目的を達成するために、請求項１に記載の発明は、自動券売機の本体に挿入された在来線の定期券に記録されているデータを読取る読取手段と、読取られたデータ中から前記定期券の定期券乗車区間を抽出する定期券乗車区間抽出手段と、抽出された定期券乗車区間の全部又は一部を含む優等列車線の優等列車乗車区間を抽出する優等列車乗車区間抽出手段と、抽出された定期券乗車区間及び優等列車乗車区間を照合し、その優等列車乗車区間に含まれないその定期券乗車区間外の不足区間を抽出する不足区間抽出手段と、抽出された不足区間の運賃を算出する算出手段と、抽出された優等列車乗車区間に係る料金及び不足区間の運賃の金額を満たす金銭が前記自動券売機の本体に投入されたときにその優等列車乗車区間に乗車できる所定の乗車券を発行する発行手段と、を有することを特徴としている。
本発明の請求項２に記載の自動券売機は、抽出された定期券乗車区間の発駅又は着駅が抽出された優等列車乗車区間の発駅又は着駅と一致しないときに、その定期券乗車区間の発駅又は着駅に近い優等列車線の停車駅を表示させる停車駅表示手段を有することを特徴としている。
本発明の請求項３に記載の自動券売機は、表示される停車駅は、定期券乗車区間の発駅又は着駅から所定範囲内の複数の停車駅であることを特徴としている。本発明の請求項４に記載の自動券売機は、表示された複数の停車駅の中から所定の停車駅を選択することを特徴としている。
【０００８】
【発明の実施の形態】
以下、本発明の実施の形態を図面に基づいて説明する。図１は、一実施の形態に係る自動券売機の本体（以下、「券売機本体」という。）ａの正面図である。この券売機本体ａの正面中央部には、タッチパネル式の表示画面１と、その表示画面１の左隣りには、係員と応答したいときに押下される呼出釦２ａ及び乗車券の購入動作を途中で中止したいときに押下される取消釦２ｂが設けられている。
【０００９】
券売機本体ａの正面の下部上段には、乗車券の購入代金をプリペイドカード等のカード類で支払うときのカード、及び本発明に係る定期券イを挿入するカード挿入口３ａ、乗車券の購入代金を紙幣で支払うときの紙幣を挿入する紙幣投入口３ｂ、及びその購入代金を硬貨で支払うときの硬貨を投入する硬貨投入口３ｃが設けられている。
【００１０】
券売機本体ａの正面下段には、釣銭硬貨の排出口４ａ、釣札の排出口４ｂ、及び乗車券が発行される発券口５が設けられている。図１中、Ｃは、マイクロコンピュータ（ＣＰＵ）を中心に形成された、券売機本体ａを統括的に制御する制御器であって、その電気的構成は後述する図２に示されている。
【００１１】
図２は、券売機本体ａの制御器Ｃの電気的構成を示している。この制御器ＣのＣＰＵ１０は、第１メモリ１１に格納されている乗車券発行用の運賃データ及び料金データ等の所定のデータ及び第２メモリ１２に格納されている制御プログラムを用いて演算処理を行うように構成されている。また、このＣＰＵ１０は、表示画面１の表示を駆動制御する可変表示部１３と、表示画面１の入力を駆動制御するタッチパネル入力部１４と、硬貨投入口３ｃから投入された硬貨を検銭処理する硬貨処理部１５と、紙幣挿入口３ｂから挿入された紙幣を検銭処理する紙幣処理部１６と、券面に所定の内容を印字するとともに、所定の磁気データを記録した乗車券を作成して発券口５に送出する発券処理部１７と、券売機本体ａの裏面側に設けられ、券売機本体ａを発券モード等の各種のモードに設定したり、あるいは券売機本体ａの保守点検時に係員によって操作されるテンキーを有する係員操作部１８と、釣銭の排出口４ａ及び釣札の排出口４ｂに釣銭を排出する釣銭処理部１９と、カード挿入口３ａに挿入されたカード（図示せず）又は定期券イを処理するカード・定期券処理部２０と、座席指定券を含む特急券を管理制御するホストコンピュータからなる上位機器（図示せず）と通信を行うための通信制御部２１とが接続されている。なお、券売機本体ａが無線通信機能を備えたＩＣカードからなる非接触券も使用可能な区間で用いられているとき、カード挿入口３ａには、図示しないリーダライタのアンテナが設けられる。
【００１２】
以下、図３のフローチャート及び図４の路線図を用いて制御動作を説明する。今、券売機本体ａがＡ駅に設置されているものとし、利用者の所持する在来線の定期券イの定期券乗車区間は、ａ１　駅からａ３　駅とする。そして、Ａ駅に設置されている券売機本体ａのカード挿入口３ａに定期券イが挿入されると（ステップ１００肯定。以下、ステップを「Ｓ」とする。）、カード・定期券処理部２０によりその定期券イに記録されているデータが読取られ、その読取られたデータを基にして定期券乗車区間（ａ１　駅〜ａ３　駅）が抽出される（Ｓ１０２）。
【００１３】
抽出された定期券イの定期券乗車区間が優等列車線に含まれていないときは、その定期券イは特急列車の乗車区間の運賃に当てることができないから、その定期券イを基にした特急券の購入はできないので、券売機本体ａの表示画面１に定期券イを基にした特急券の購入ができない旨の案内が行われる（Ｓ１０４否定、Ｓ１０５）。
【００１４】
抽出された定期券イの定期券乗車区間の一部又は全部が優等列車線に含まれるときは（Ｓ１０４肯定）、その定期券イを特急券の運賃に当てることができるので特急券の発行が可能である。この場合、定期券乗車区間内に特急券の発駅及び着駅が含まれるとき（例えば、図４の路線図において、購入しようとしている特急券の発駅がＡ駅で着駅がＢ駅のときに、定期券乗車区間がＡ駅〜Ｂ駅以降（例えばＣ駅））であれば、その定期券イは、特急券の乗車区間（Ａ駅〜Ｂ駅）の運賃を満たしているの、Ａ駅からＢ駅までの特急料金を券売機本体ａの硬貨投入口３ｃ等に投入すると、特急券の発行を受けることができる（Ｓ１０６肯定、Ｓ１０８、Ｓ１１０肯定、Ｓ１１２、Ｓ１１４肯定、Ｓ１１６）。なお、このように、特急料金の投入のみで特急券が購入できる場合であっても、図３のフローチャートでは省略されているが、優等列車（特急列車）の停車駅の中からＡ駅及びＢ駅が選択される。具体的には、表示画面１に表示された駅群の中のＡ駅及びＢ駅が押下（タッチ）される。
【００１５】
定期券を特急券の乗車区間の運賃に当てることができる場合であっても、図４の路線図に示されるように、定期券イの乗車区間が乗車しようとする特急列車の発駅又は着駅と一致しないときは（Ｓ１０６否定）、定期券イの乗車区間（図４の例では、ａ１　駅〜ａ３　駅）の発駅又は着駅から一定範囲内の優等列車の停車駅群がその発駅又は着駅に近い順から順に表示画面に表示される（Ｓ１１８）。したがって、利用者は、表示された停車駅群の中から所定の発駅又は着駅を選択して特急券の乗車区間を決定することができる（Ｓ１２０肯定、Ｓ１１０肯定〜Ｓ１１６。又はＳ１２０否定、Ｓ１２２、Ｓ１１８、Ｓ１２０肯定、Ｓ１１０肯定〜Ｓ１１６。）。図４の例では、特急券の発駅としてＡ駅が選択され、着駅としてＢ駅が選択される。この場合において、定期券イで特急券の運賃を充当できない部分の不足運賃（Ａ駅〜ａ１　駅及びａ３　駅〜Ｂ駅）は、券売機本体ａに投入する必要があるとともに、特急料金（Ａ駅〜Ｂ駅間の特急料金）の投入も必要とされる。
【００１６】
【発明の効果】
本発明の請求項１に記載の自動券売機は、自動券売機の本体に挿入された在来線の定期券に記録されているデータを読取る読取手段と、読取られたデータ中から前記定期券の定期券乗車区間を抽出する定期券乗車区間抽出手段と、抽出された定期券乗車区間の全部又は一部を含む優等列車線の優等列車乗車区間を抽出する優等列車乗車区間抽出手段と、抽出された定期券乗車区間及び優等列車乗車区間を照合し、その優等列車乗車区間に含まれないその定期券乗車区間外の不足区間を抽出する不足区間抽出手段と、抽出された不足区間の運賃を算出する算出手段と、抽出された優等列車乗車区間に係る料金及び不足区間の運賃の金額を満たす金銭が前記自動券売機の本体に投入されたときにその優等列車乗車区間に乗車できる所定の乗車券を発行する発行手段とからなるので、定期券を基にして優等列車（特急列車）に乗車できる乗車券（特急券）の発行を受けることができ、利用者の利便向上を図ることができる。
本発明の請求項２に記載の自動券売機は、抽出された定期券乗車区間の発駅又は着駅が抽出された優等列車乗車区間の発駅又は着駅と一致しないときに、その定期券乗車区間の発駅又は着駅に近い優等列車線の停車駅を表示させる停車駅表示手段とからなるので、優等列車の発駅又は着駅を容易に選択することができる。
本発明の請求項３に記載の自動券売機は、表示される停車駅は、定期券乗車区間の発駅又は着駅から所定範囲内の複数の停車駅であるので、優等列車の発駅又は着駅を容易に選択することができる。
本発明の請求項４に記載の自動券売機は、表示された複数の停車駅の中から所定の停車駅を選択するので、優等列車の発駅又は着駅を容易に選択することができる。
【図面の簡単な説明】
【図１】本発明の一実施の形態に係る自動券売機の正面図である。
【図２】制御器の電気的構成を示すブロック図である。
【図３】制御動作を示すフローチャートである。
【図４】路線図である。
【符号の説明】
１　表示画面
２ａ　呼出釦
２ｂ　取消釦
３ａ　カード挿入口
３ｂ　紙幣投入口
３ｃ　硬貨投入口
４ａ，４ｂ　排出口
５　発券口
Ｃ　制御器
ａ　自動券売機の本体（券売機本体）
イ　定期券
【図１】
2004110261.tif 000003
【図２】
2004110261.tif 000004
【図３】
2004110261.tif 000005
【図４】
2004110261.tif 000006